(57)【要約】【課題】  尿管バイパス装置の腎臓カテーテルまたは膀胱カテーテルのうち一方のカテーテルのみに対し、中継アダプタを介して洗浄液や薬剤を供給したり尿を吸引して採取することができる尿管バイパス装置を提供すること。【解決手段】  尿管バイパス装置１は、腎臓カテーテル３、膀胱カテーテル５、中継アダプタ７および押圧具１６を備える。押圧具１６は、尿管バイパス装置１が腹部内に留置された状態において、片手の指で経皮的に摘んで押圧可能な一対の押圧面を備える。一対の押圧面を経皮的に指で摘んで押圧具１６を圧縮変形させて、腎臓カテーテル３の長手方向中途部の外周部に押圧具１６を介して押圧力を付与することで腎臓カテーテル３が拉げて腎臓カテーテル３内の流路が閉塞される。該流路は、押圧力が解除されることで開放される。【選択図】図１
0003214346.tif 000002
【実用新案登録請求の範囲】
【請求項１】
生体の腹部内に留置される尿管バイパス装置において、
弾性部材からなる管状の腎臓カテーテル本体を備え、前記腎臓カテーテル本体の先端部が前記腹部内の腎臓内に留置される腎臓カテーテルと、
弾性部材からなる管状の膀胱カテーテル本体を備え、前記膀胱カテーテル本体の先端部が前記腹部内の膀胱内に留置される膀胱カテーテルと、
前記腎臓カテーテル本体の後端部に一端部が接続可能で、かつ、前記膀胱カテーテル本体の後端部に他端部が接続可能な中継アダプタと、
前記腎臓カテーテル本体または前記膀胱カテーテル本体のうち少なくとも何れか一方のカテーテル本体の長手方向中途部における外周部に装着可能な押圧具とを備え、
前記腎臓カテーテル本体内と前記膀胱カテーテル本体内とは、それぞれ前記中継アダプタ内と連通し、
前記中継アダプタは、液体の供給または吸引のうち少なくとも何れか一方を行う外部機器と接続されて当該外部機器内と前記中継アダプタ内とを連通可能な接続部を備え、
前記押圧具は、弾性部材からなる押圧具本体を備え、
前記押圧具本体は、前記押圧具を含む前記尿管バイパス装置が前記腹部内に留置された状態において、片手の指で経皮的に摘んで押圧可能な一対の押圧面を備え、
前記一対の押圧面を経皮的に指で摘んで前記押圧具本体を圧縮変形させて、前記押圧具が装着されたカテーテル本体の長手方向中途部の外周部に前記押圧具を介して押圧力を付与することで当該カテーテル本体が拉げて当該カテーテル本体内の流路が閉塞される一方、
当該カテーテル本体が拉げて閉塞していた当該カテーテル本体内の流路は、前記押圧力が解除されることで開放されるように構成されていることを特徴とする尿管バイパス装置。
【請求項２】
請求項１に記載の尿管バイパス装置において、
前記押圧具本体は貫通孔を備え、
前記腎臓カテーテル本体または前記膀胱カテーテル本体のうち少なくとも何れか一方のカテーテル本体を前記貫通孔に挿入することで前記押圧具が当該カテーテル本体に装着され、
前記押圧具本体の一対の押圧面は、前記貫通孔に対してそれぞれ一定の間隔を隔てて前記貫通孔を両側から挟むように前記貫通孔の両側にそれぞれ位置付けられていることを特徴とする尿管バイパス装置。
【請求項３】
請求項２に記載の尿管バイパス装置において、
前記押圧具は、前記押圧具本体より剛性が高い部材からなり、前記押圧具本体の内部に埋設された一対の軸状部材をさらに備え、
前記一対の軸状部材は、前記一対の押圧面のそれぞれと前記貫通孔との間にそれぞれ位置付けられ、かつ、前記各軸状部材の軸芯がそれぞれ前記貫通孔の軸芯と交差するように配置されていることを特徴とする尿管バイパス装置。
【請求項４】
請求項１ないし請求項３のうち何れか一つに記載の尿管バイパス装置において、
前記押圧具本体より剛性が高い部材からなり、前記押圧具を収納する筐体をさらに備え、
前記筐体の側面には、前記押圧具を収納したときに前記一対の押圧面を前記筐体の外部にそれぞれ露出させる一対の開口部が形成され、
前記筐体内に収納された前記押圧具を含む前記尿管バイパス装置が前記腹部内に留置された状態において、前記一対の開口部から露出した前記一対の押圧面を経皮的に指で摘んで前記押圧具本体を圧縮変形させて、前記押圧具が装着されたカテーテル本体の長手方向中途部の外周部に前記押圧具を介して押圧力を付与することで当該カテーテル本体が拉げて当該カテーテル本体内の流路が閉塞されるように構成されていることを特徴とする尿管バイパス装置。
【考案の詳細な説明】
【技術分野】
【０００１】
本考案は、腎臓カテーテルおよび膀胱カテーテルと、これらのカテーテルに接続される中継アダプタとを備えた尿管バイパス装置に関するものである。
【背景技術】
【０００２】
特許文献１には、腎臓カテーテルおよび膀胱カテーテルと、これらのカテーテルに接続される中継アダプタとを備えた尿管バイパス装置が記載されている。この尿管バイパス装置は、腎臓の腎盂腔内に一端部が留置される腎臓カテーテルと、該腎臓カテーテルの他端部が接続される中継アダプタと、該中継アダプタに一端部が接続され他端部が膀胱内に留置される膀胱カテーテルとを備えている。この尿管バイパス装置は、犬および猫等の動物や人間の尿管が泌尿器系疾患等により閉塞または尿管障害を起こした際に尿路の確保のために供されるものである。
【０００３】
動物等の腹部に留置した尿管バイパス装置の腎臓カテーテルや膀胱カテーテルが目詰まりしたときは、生理食塩水等の洗浄液が充填された注射器の注射針により腹部の皮膚および腹壁を貫通して中継アダプタの封止部材に該注射針を突き刺し、中継アダプタを介して腎臓カテーテル内および膀胱カテーテル内に洗浄液を注入することが行われている。これにより、尿の流通を阻害していた尿路結石等の障害物を除去し腎臓カテーテル内および膀胱カテーテル内の流通を良好にすることができる。また、洗浄液に替えて薬剤を注入することも行われている。さらにまた、中継アダプタを介して注射器により尿を吸引して採取し、その採取した尿を検査することも行われている。
【先行技術文献】
【特許文献】
【０００４】
【特許文献１】実用新案登録第３２０９５２２号
【考案の概要】
【考案が解決しようとする課題】
【０００５】
しかしながら、特許文献１に示された尿管バイパス装置では、腎臓カテーテルおよび膀胱カテーテルと中継アダプタとが常に連通しているため、腎臓カテーテルまたは膀胱カテーテルのうち何れか一方のカテーテルのみに対し、中継アダプタを介して洗浄液や薬剤を供給したり、尿を吸引して採取することが困難であった。
【０００６】
本考案は、上述したような問題を解消するためになされたもので、尿管バイパス装置の腎臓カテーテルまたは膀胱カテーテルのうち特定のカテーテルのみに対し、中継アダプタを介して洗浄液や薬剤を供給したり、尿を吸引して採取することができる尿管バイパス装置を提供することを目的とする。
【課題を解決するための手段】
【０００７】
この目的を達成するために、本考案に係る尿管バイパス装置は、生体の腹部内に留置される尿管バイパス装置において、弾性部材からなる管状の腎臓カテーテル本体を備え、前記腎臓カテーテル本体の先端部が前記腹部内の腎臓内に留置される腎臓カテーテルと、弾性部材からなる管状の膀胱カテーテル本体を備え、前記膀胱カテーテル本体の先端部が前記腹部内の膀胱内に留置される膀胱カテーテルと、前記腎臓カテーテル本体の後端部に一端部が接続可能で、かつ、前記膀胱カテーテル本体の後端部に他端部が接続可能な中継アダプタと、前記腎臓カテーテル本体または前記膀胱カテーテル本体のうち少なくとも何れか一方のカテーテル本体の長手方向中途部における外周部に装着可能な押圧具とを備え、前記腎臓カテーテル本体内と前記膀胱カテーテル本体内とは、それぞれ前記中継アダプタ内と連通し、前記中継アダプタは、液体の供給または吸引のうち少なくとも何れか一方を行う外部機器と接続されて当該外部機器内と前記中継アダプタ内とを連通可能な接続部を備え、前記押圧具は、弾性部材からなる押圧具本体を備え、前記押圧具本体は、前記押圧具を含む前記尿管バイパス装置が前記腹部内に留置された状態において、片手の指で経皮的に摘んで押圧可能な一対の押圧面を備え、前記一対の押圧面を経皮的に指で摘んで前記押圧具本体を圧縮変形させて、前記押圧具が装着されたカテーテル本体の長手方向中途部の外周部に前記押圧具を介して押圧力を付与することで当該カテーテル本体が拉げて当該カテーテル本体内の流路が閉塞される一方、当該カテーテル本体が拉げて閉塞していた当該カテーテル本体内の流路は、前記押圧力が解除されることで開放されるように構成されていることを特徴とするものである。
【０００８】
請求項２に記載した考案に係る尿管バイパス装置は、請求項１に記載の尿管バイパス装置において、前記押圧具本体は貫通孔を備え、前記腎臓カテーテル本体または前記膀胱カテーテル本体のうち少なくとも何れか一方のカテーテル本体を前記貫通孔に挿入することで前記押圧具が当該カテーテル本体に装着され、前記押圧具本体の一対の押圧面は、前記貫通孔に対してそれぞれ一定の間隔を隔てて前記貫通孔を両側から挟むように前記貫通孔の両側にそれぞれ位置付けられていることを特徴とするものである。
【０００９】
請求項３に記載した考案に係る尿管バイパス装置は、請求項２に記載の尿管バイパス装置において、前記押圧具は、前記押圧具本体より剛性が高い部材からなり、前記押圧具本体の内部に埋設された一対の軸状部材をさらに備え、前記一対の軸状部材は、前記一対の押圧面のそれぞれと前記貫通孔との間にそれぞれ位置付けられ、かつ、前記各軸状部材の軸芯がそれぞれ前記貫通孔の軸芯と交差するように配置されていることを特徴とするものである。
【００１０】
請求項４に記載した考案に係る尿管バイパス装置は、請求項１ないし請求項３のうち何れか一つに記載の尿管バイパス装置において、前記押圧具本体より剛性が高い部材からなり、前記押圧具を収納する筐体をさらに備え、前記筐体の側面には、前記押圧具を収納したときに前記一対の押圧面を前記筐体の外部にそれぞれ露出させる一対の開口部が形成され、前記筐体内に収納された前記押圧具を含む前記尿管バイパス装置が前記腹部内に留置された状態において、前記一対の開口部から露出した前記一対の押圧面を経皮的に指で摘んで前記押圧具本体を圧縮変形させて、前記押圧具が装着されたカテーテル本体の長手方向中途部の外周部に前記押圧具を介して押圧力を付与することで当該カテーテル本体が拉げて当該カテーテル本体内の流路が閉塞されるように構成されていることを特徴とするものである。
【考案の効果】
【００１１】
本考案によれば、腎臓カテーテル本体または膀胱カテーテル本体のうち少なくとも何れか一方のカテーテル本体の長手方向中途部における外周部に装着可能な押圧具を備え、該押圧具の一対の押圧面を経皮的に指で摘んで押圧力を付与することでカテーテル本体が拉げてカテーテル本体内の流路が閉塞される。このため、尿管バイパス装置の腎臓カテーテルまたは膀胱カテーテルのうち特定のカテーテルのみに対し、中継アダプタを介して洗浄液や薬剤を供給したり、尿を吸引して採取することができる。また、腎臓カテーテル本体または膀胱カテーテル本体のうち特定のカテーテルのみに洗浄液を供給することで、供給する洗浄液の全てが当該カテーテル本体内に流入するため、洗浄液を勢い良く流入させることができる。この結果、当該カテーテル本体内に付着している尿路結石等の障害物が除去され易くなり当該カテーテル本体内を効果的に洗浄することができる。
また、押圧具の一対の押圧面を経皮的に指で摘んで押圧力を付与することでカテーテル本体が拉げてカテーテル本体内の流路が閉塞される一方、該押圧力が解除されることでカテーテル本体内の流路が開放されるように構成されている。このため、カテーテル本体内の流路を機構的な開閉弁により開閉する構成と比べて、開閉のための構造を単純化することができる上、流路が開放されているときの流路には流通を阻害する虞のある開閉弁等の突出部が存在しないので流路が目詰まりし難い。
【００１２】
請求項２に記載の考案によれば、カテーテル本体を押圧具本体の貫通孔に挿入することで押圧具がカテーテル本体に装着されるので、カテーテル本体に押圧具を容易に装着することができる。また、押圧具本体の一対の押圧面は、押圧具本体の貫通孔を両側から挟むように貫通孔の両側にそれぞれ位置付けられているので、一対の押圧面を経皮的に指で摘んで押圧力を付与して押圧具本体を圧縮変形させることで、押圧具を介してカテーテル本体に押圧力を確実に付与することができる。この結果、カテーテル本体を指で容易に拉げることができ、延いては、該カテーテル本体内の流路を確実に閉塞することができる。
【００１３】
請求項３に記載の考案によれば、押圧具本体より剛性が高い部材からなる一対の軸状部材が、一対の押圧面のそれぞれと押圧具本体の貫通孔との間にそれぞれ位置付けられ、かつ、各軸状部材の軸芯がそれぞれ貫通孔の軸芯と交差するように配置されている。このため、押圧具本体の一対の押圧面を経皮的に指で摘んで押圧具本体を圧縮変形させることで、一対の軸状部材を介してカテーテル本体に押圧力がピンポイントで付与される結果、過度に大きな押圧力を付与しなくもカテーテル本体が拉げて該カテーテル本体内の流路を閉塞することができる。
【００１４】
請求項４に記載の考案によれば、押圧具本体より剛性が高い部材からなり、押圧具を収納する筐体をさらに備えている。このため、尿管バイパス装置が腹部に留置されているとき、押圧具が収納された筐体が位置する腹部の部位に意図しない押圧力が作用したとしても、剛性が高い筐体により押圧具が保護されるので、前記押圧力が押圧具に作用してカテーテル本体内の流路が閉塞される虞はない。
また、筐体の側面には、押圧具を収納したときに押圧具本体の一対の押圧面を筐体の外部にそれぞれ露出させる一対の開口部が形成されている。このため、一対の開口部から露出した押圧具本体の一対の押圧面を経皮的に指で摘んで、押圧具本体を圧縮変形させることで、押圧具を介してカテーテル本体に押圧力を確実に付与することができる。この結果、カテーテル本体を指で容易に拉げることができ、延いては、該カテーテル本体内の流路を確実に閉塞することができる。
【図面の簡単な説明】
【００１５】
【図１】（ａ）図は、本考案の実施の形態に係る尿管バイパス装置を示した図であり、（ｂ）図は、尿管バイパス装置の腎臓カテーテルを示した図である。
【図２】（ａ）図は、腎臓カテーテルに縫合糸が挿入された状態を示した図であり、（ｂ）図は、（ａ）図の矢視Ａ−Ａ線に沿う断面を拡大して示した図である。
【図３】（ａ）図は、膀胱カテーテルを示した図であり、（ｂ）図は、（ａ）図の矢視Ｂ−Ｂ線に沿う断面を拡大して示した図である。
【図４】（ａ）図は、膀胱カテーテルと腎臓カテーテルとを接続するための中継アダプタを上方から見た状態を示した平面図であり、（ｂ）図は、同中継アダプタを側方から見た状態を示した側面図であり、（ｃ）図は、（ａ）図の矢視Ｃ−Ｃ線に沿う断面を示した図である。
【図５】（ａ）図は、尿管バイパス装置に装着される押圧具を斜め上方から見た状態を示した図であり、（ｂ）図は、（ａ）図の矢視Ｄ−Ｄ線に沿う断面を拡大して示した図である。
【００１６】
【図６】（ａ）図は、腎臓カテーテルの腎臓への挿入および膀胱カテーテルの膀胱への挿入に際して使用されるカニューラを示した図であり、（ｂ）図は、同カニューラ内に挿入されるトロッカーを示した図であり、（ｃ）図は、同カニューラ内に同トロッカーが挿入されて構成された穿刺針を示した図であり、（ｄ）図は、ガイドワイヤの腎臓への挿入に際して使用されるシースを示した図であり、（ｅ）図は、同ガイドワイヤを示した図である。
【図７】（ａ）図は、膀胱カテーテルに押圧具が装着された尿管バイパス装置を示した図であり、（ｂ）図は、膀胱カテーテルおよび腎臓カテーテルにそれぞれ押圧具が装着された尿管バイパス装置を示した図である。
【図８】（ａ）図は、膀胱カテーテルと一対の腎臓カテーテルとを備え、各カテーテルにそれぞれ押圧具が装着された尿管バイパス装置を示した図であり、（ｂ）図は、膀胱カテーテルと一対の腎臓カテーテルとを接続するための中継アダプタを上方から見た状態を示した平面図である。
【図９】（ａ）図は、図５に示した押圧具の構成の一部を変更した変形例に係る押圧具を斜め上方から見た状態を示した図であり、（ｂ）図は、（ａ）図の矢視Ｅ−Ｅ線に沿う断面を拡大して示した図である。
【００１７】
【図１０】（ａ）図は、図５に示した押圧具の構成の一部を変更した他の変形例に係る押圧具を斜め上方から見た状態を示した図であり、（ｂ）図は、図９に示した押圧具の構成の一部を変更した他の変形例に係る押圧具を斜め上方から見た状態を示した図である。
【図１１】（ａ）図は、押圧具が収納される筐体を斜め上方から見た状態を示した図であり、（ｂ）図は、（ａ）図の矢視Ｆ−Ｆ線に沿う断面を拡大して示した図である。
【図１２】（ａ）図は、図５に示した押圧具が収納された筐体を斜め上方から見た状態を示した図であり、（ｂ）図は、（ａ）図の矢視Ｇ−Ｇ線に沿う断面を拡大して示した図である。
【図１３】（ａ）図は、図９に示した押圧具が収納された筐体を斜め上方から見た状態を示した図であり、（ｂ）図は、図１０の（ａ）図に示した押圧具が収納された筐体を斜め上方から見た状態を示した図であり、（ｃ）図は、図１０の（ｂ）図に示した押圧具が収納された筐体を斜め上方から見た状態を示した図である。
【図１４】図１３の（ｃ）図に示した、筐体内に収納された押圧具が膀胱カテーテルおよび腎臓カテーテルにそれぞれ装着された尿管バイパス装置を示した図である。
【考案を実施するための形態】
【００１８】
以下、本考案に係る実施の形態を図１ないし図８を参照して詳細に説明する。図１の（ａ）図において符号１で示すものは、本実施の形態に係る尿管バイパス装置の一例である。この尿管バイパス装置１は、犬および猫等の動物や人間の尿管が泌尿器系疾患等により閉塞または尿管障害を起こした際に尿路の確保のために供されるものである。
なお、作図の都合上、図１ないし図３および図６ないし図８では、長尺な部材については、その長手方向中途部を省略して示している。また、図２および図６の（ｃ）図において、部材が長尺なため、互いに離間して描かれた２つの部分が同じ部材からなることが分かり難い場合には、同じ部材であることを明確にするために一方の部分には括弧書きで同一の符号を記している。
尿管バイパス装置１は、腎臓カテーテル３および膀胱カテーテル５と、これらのカテーテル３，５が接続される中継アダプタ７と、各カテーテル３，５が中継アダプタ７に接続される接続部をそれぞれ被覆し緊締する一対の円筒状のマウント９，９とを備えている。
【００１９】
図１の（ｂ）図に示すように腎臓カテーテル３は、中空の円管からなる腎臓カテーテル本体１１と、円盤状のカフ１３と、位置決め部材１５と、押圧具１６とを備えている。腎臓カテーテル本体１１は、腎臓の腎盂腔内に留置される先端部１１ａと、該先端部１１ａに連なる中間部１１ｂと、該中間部１１ｂに連なると共に該中間部１１ｂを介して先端部１１ａと連通する後端部１１ｃとからなる。図２の（ａ）図において一部を拡大して示したように先端部１１ａは、末端部が先細に形成された先細部１７を有している。前記カフ１３，位置決め部材１５および押圧具１６には、腎臓カテーテル本体１１の中間部１１ｂの外周部に嵌合される貫通孔がそれぞれの軸芯上に形成されている。位置決め部材１５は、カフ１３の外径より小さい外径を有する円盤状の鍔部１５ａと、該鍔部１５ａと一体化された円筒状の筒部１５ｂとを備えている。
【００２０】
位置決め部材１５および押圧具１６がそれぞれ中間部１１ｂの外周部に嵌合されたときの、位置決め部材１５の筒部１５ｂおよび押圧具１６の各内周部と中間部１１ｂの外周部との接触による摩擦力により、中間部１１ｂの軸芯に沿う方向における、中間部１１ｂと位置決め部材１５および押圧具１６との相対移動が規制される。
【００２１】
一方、図３に示すように膀胱カテーテル５は、中空の円管からなる膀胱カテーテル本体１９と、前記カフ１３と同様に構成された円盤状のカフ２１と、該カフ２１の外径より小さい外径を有する円盤状の位置決め部材２３とを備えている。膀胱カテーテル本体１９は、膀胱内に留置される先端部１９ａと、該先端部１９ａに連なる中間部１９ｂと、該中間部１９ｂに連なると共に該中間部１９ｂを介して先端部１９ａと連通する後端部１９ｃとからなり、先端部１９ａは、図３の（ａ）図において一部を拡大して示したように、末端部が先細に形成された先細部２５を有している。前記カフ２１および位置決め部材２３には、膀胱カテーテル本体１９の中間部１９ｂの外周部に嵌合可能な貫通孔がそれぞれの軸芯上に形成されている。
前記腎臓カテーテル本体１１の先細部１７を除いた先端部１１ａ，中間部１１ｂ，後端部１１ｃと、膀胱カテーテル本体１９の先細部２５を除いた先端部１９ａ，中間部１９ｂ，後端部１９ｃとは、それらの内径および外径がそれぞれ同一の寸法に形成されている。腎臓カテーテル本体１１および膀胱カテーテル本体１９は可撓性を有する部材からなり、それらの材質としては、例えば、ポリウレタン等の樹脂を挙げることができる。
【００２２】
腎臓カテーテル本体１１の先端部１１ａにおける中間部１１ｂ側の端部には、Ｘ線を透過しないマーカー部２７を備えており、該マーカー部２７は、硫酸バリウムまたはタングステン等のＸ線を透過しない物質の粉末がポリウレタン等の樹脂に添加されて形成された管からなる。
腎臓カテーテル３の位置決め部材１５の鍔部１５ａ，筒部１５ｂおよび膀胱カテーテル５の位置決め部材２３の材質としては、例えば、ポリウレタンまたはシリコンゴム等の樹脂を挙げることができる。
【００２３】
また、腎臓カテーテル３のカフ１３および膀胱カテーテル５のカフ２１は不織布からなり、それらの材質としては、例えば、ポリエステル繊維，ナイロン繊維またはアクリル繊維等を挙げることができる。
腎臓カテーテル３の位置決め部材１５の鍔部１５ａとカフ１３との対向する側面同士および膀胱カテーテル５の位置決め部材２３とカフ２１との対向する側面同士は結着されており、それらの結着の方法としては、結着する部位を加熱して溶着する方法や接着剤により結着する方法が挙げられる。各位置決め部材１５，２３にカフ１３，２１がそれぞれ結着されているので、腎臓や膀胱の表面に固定しやすいカフ１３，２１を介することで各位置決め部材１５，２３を腎臓や膀胱にそれぞれ容易に固定することができる。
【００２４】
腎臓カテーテル本体１１の先端部１１ａは、円弧状に屈曲形成されており、その屈曲部の円弧状の内周面に、その内周方向に一定の間隔を隔てて穿設された４個の側孔３１…と、先端部１１ａの先細部１７に形成された開口１７ａとを備えている。また、腎臓カテーテル本体１１の先端部１１ａには、前記側孔３１より小さい小孔３３がマーカー部２７の近傍に穿設されている。該小孔３３には、後述する縫合糸５５が挿通される。
【００２５】
一方、膀胱カテーテル本体１９の先端部１９ａは、その長手方向に一定の間隔を隔てて２個ずつ穿設された合計４個の側孔３５…と、先端部１９ａの先細部２５に形成された開口２５ａとを備えている。先端部１９ａの長手方向で同じ位置に穿設された２個の側孔３５，３５同士は先端部１９ａの軸芯に沿う方向から見て該軸芯回りに１８０度の等角度間隔で穿設されていると共に、先端部１９ａの長手方向で一方の位置に穿設された２個の側孔３５，３５と他方の位置に穿設された２個の側孔３５，３５とは前記軸芯回りに互いに９０度だけ角度がずれた位置に穿設されている。
【００２６】
而して、尿管バイパス装置１における腎臓カテーテル本体１１の先端部１１ａが腎臓の腎盂腔内に留置されることで、腎盂腔内の尿が各側孔３１および開口１７ａを介して先端部１１ａ内に流入したのち、中間部１１ｂ内および後端部１１ｃ内を通過して中継アダプタ７内に排出される。また、尿管バイパス装置１における膀胱カテーテル本体１９の先端部１９ａが膀胱内に留置されることで、腎臓カテーテル本体１１内から中継アダプタ７内に排出された尿が膀胱カテーテル本体１９の後端部１９ｃ内，中間部１９ｂ内および先端部１９ａ内を通過し、先端部１９ａの各側孔３５および先細部２５の開口２５ａを介して膀胱内に流入する。
【００２７】
図４に示すように中継アダプタ７は、中継アダプタ本体３７と、該中継アダプタ本体３７に組み付けられた封止部材３９および一対のコネクタ４１，４１とを備えている。各コネクタ４１はそれぞれ中空の部材からなる。中継アダプタ本体３７は、椀状の第一アダプタ片３７ａと、該第一アダプタ片３７ａの開口部に圧入嵌合された第二アダプタ片３７ｂとを備えている。第二アダプタ片３７ｂの外周部には、周方向に互いに間隔を隔てて４個の貫通孔４３…が穿設されている。封止部材３９は、シリコンゴム材からなり、第一アダプタ片３７ａの中央部の貫通孔に嵌合圧入されている。封止部材３９は、本考案でいう「接続部」を構成する。
【００２８】
各コネクタ４１は、中空の管からなり、それらの一端部に刻設された雄ねじ部が第二アダプタ片３７ｂに刻設された一対の雌ねじ孔にそれぞれ螺着されている。各コネクタ４１の他端部には、腎臓カテーテル本体１１の後端部１１ｃと膀胱カテーテル本体１９の後端部１９ｃとがそれぞれ嵌合接続されるニップル部４１ａが形成されている。中継アダプタ本体３７の内部には、第一アダプタ片３７ａ，第二アダプタ片３７ｂ，封止部材３９および一対のコネクタ４１，４１により囲繞された空洞４５が形成されている。第一アダプタ片３７ａと第二アダプタ片３７ｂとの圧入嵌合部、第一アダプタ片３７ａと封止部材３９との圧入嵌合部および第二アダプタ片３７ｂへの各コネクタ４１の螺着部は、それぞれ液密にシールされている。
【００２９】
腎臓カテーテル本体１１の中間部１１ｂにおける後端部１１ｃ寄り（マウント９の近傍）の外周部には押圧具１６が挿入され、該押圧具１６は、直方体状に一体形成された弾性部材からなる押圧具本体４７自体により構成されている。押圧具本体４７の材質としては、例えば、ポリウレタンまたはシリコンゴム等の生体適合性のある合成樹脂を挙げることができる。図５に示すように、押圧具本体４７の中央部には貫通孔４９が穿設され、該貫通孔４９の横断面の形状は、該貫通孔４９の全長に亘って一定の大きさを有する円形状に形成されている。貫通孔４９の内径は、腎臓カテーテル本体１１の中間部１１ｂの外径と略同一の寸法に設定されている。
【００３０】
押圧具本体４７は、貫通孔４９の軸芯に沿う方向に広がり他の面より幅広な一対の幅広面５１，５１と、貫通孔４９の軸芯に沿う方向に延び一対の幅広面５１，５１より幅狭な一対の押圧面５３，５３とを備えている。一対の幅広面５１，５１同士は互いに背中合わせで平行であり、一対の押圧面５３，５３同士は互いに背中合わせで平行である。また、貫通孔４９の軸芯は、各幅広面５１および各押圧面５３に対して平行に位置付けられている。押圧具本体４７は、一対の押圧面５３，５３を片手の指で摘んで押圧力を付与すると圧縮変形する一方、その押圧力を解除すると押圧具本体４７自体の弾性力により元の形状に復元する。
【００３１】
＜尿管バイパス装置１を留置する作業手順＞
次に、尿管が泌尿器系疾患などにより閉塞または尿管障害を起こした犬および猫等の動物や人間の腹部に、上述した尿管バイパス装置１を留置して尿路を確保するために行う外科的治療の作業手順の一例について図６も参照して詳細に説明する。
まず、腎臓の状態をＸ線撮影により取得した画像で観察し、腎臓カテーテル本体１１の屈曲形成された先端部１１ａが留置可能な程度に腎盂腔が拡張しているか否かを確認する。
【００３２】
腎臓カテーテル本体１１の先端部１１ａが留置可能であると判断されると、ナイロン製の１本の細い縫合糸５５（図２参照）が予め挿入された腎臓カテーテル本体１１の後端部１１ｃから腎臓カテーテル本体１１内に、図６の（ａ）図に示すような真っ直ぐな中空の管からなる金属製のカニューラ５７ａを挿入し腎臓カテーテル本体１１の先端部１１ａまで到達させて、先端部１１ａの屈曲部を真っ直ぐな状態に矯正しておく。なお、前記縫合糸５５は、その一端部が外部に存置されたまま他端部が腎臓カテーテル本体１１の後端部１１ｃから先端部１１ａまで挿通され先細部１７の開口１７ａから外部に延出されたのち小孔３３から再び腎臓カテーテル本体１１内に挿通されて後端部１１ｃから外部に延出されている。
【００３３】
次に、図６の（ａ）図に示すカニューラ５７ａと同一の構成を有する別個のカニューラ５７ａ内に、図６の（ｂ）図に示すような真っ直ぐな先端が尖った金属製の針金状のトロッカー５７ｂが挿入されて構成された穿刺針５７（図６の（ｃ）図参照）を膀胱カテーテル本体１９内にその後端部１９ｃ側から挿入しておく。
次に、腹部の中央をメスにより縦に切開して膀胱および腎臓を外部に露出させたのち、膀胱カテーテル本体１９およびカニューラ５７ａから突出したトロッカー５７ｂの先端により膀胱を穿刺して形成した刺入口を介して膀胱カテーテル５の先端部１９ａを膀胱内に挿入する。
次に、膀胱カテーテル本体１９の先端部１９ａを膀胱に挿入したまま膀胱カテーテル５内から穿刺針５７を抜き出す。
【００３４】
次に、膀胱カテーテル本体１９の先端部１９ａを挿入した部位の膀胱の漿膜を、巾着の紐を引っ張ることで巾着の開口を窄めるようにする所謂、巾着縫合によりナイロン製の縫合糸で縫合する。これにより、膀胱カテーテル本体１９の外周部が膀胱の漿膜により緊締され、膀胱カテーテル本体１９の膀胱に対する相対移動は阻止される。
次に、一方の手で膀胱カテーテル本体１９の中間部１９ｂを把持した状態で他方の手で位置決め部材２３を把持して膀胱カテーテル本体１９に対して位置決め部材２３をカフ２１と共に膀胱の漿膜面の近傍まで相対移動させたのち、膀胱の漿膜面とカフ２１の側面とに医療用接着剤を塗布して膀胱の漿膜面とカフ２１とを接着すると共に膀胱の漿膜面とカフ２１とを縫合糸で縫合する。これにより、カフ２１および位置決め部材２３の膀胱に対する相対移動は阻止される。なお、膀胱の漿膜面とカフ２１とを縫合糸で縫合することで両者は強固に結着されるので、膀胱の漿膜面とカフ２１への医療用接着剤の塗布は省略してもよい。
【００３５】
次に、図６の（ｄ）図に示すような真っ直ぐな中空の管からなる金属製のシース５９内に挿入された注射針（図示せず）を該シース５９と共に腎臓に穿刺して形成した刺入口を介してシース５９を腎盂腔内に挿入する。
次に、シース５９を腎臓に挿入したままシース５９内から前記注射針を抜き出したのち、図６の（e）図に示すようなガイドワイヤ６１をシース５９内に挿入し、ガイドワイヤ６１をその先端部が腎盂腔内に進入するまで挿入する。ガイドワイヤ６１は、柔軟性を有し自由に撓むことができる金属製の部材からなる。
【００３６】
次に、カニューラ５７ａが挿入された腎臓カテーテル本体１１の先端部１１ａ側からカニューラ５７ａ内にガイドワイヤ６１の後端を挿入し、腎臓カテーテル本体１１の先端部１１ａが腎臓の腎盂腔内に進入するまで腎臓カテーテル３をガイドワイヤ６１に沿わせて挿入する。
次に、腎臓カテーテル本体１１の先端部１１ａを腎盂腔内に留置したまま腎臓カテーテル本体１１からガイドワイヤ６１を引き抜いたのちカニューラ５７ａも腎臓カテーテル本体１１から引き抜く。このとき、ガイドワイヤ６１とカニューラ５７ａとを同時に引き抜いてもよい。
【００３７】
先端部１１ａが腎臓の腎盂腔内に位置付けられて４個の側孔３１…の全てが腎盂腔内に位置付けられていることが確認されると、腎臓カテーテル本体１１内に挿通され腎臓カテーテル本体１１の後端部１１ｃから外部に食み出している２本の縫合糸５５を同時に手で引っ張り、腎盂腔内に留置された腎臓カテーテル本体１１の先端部１１ａを円弧状に屈曲させる。なお、腎臓カテーテル本体１１の先端部１１ａが４個の側孔３１…を全て含めて腎臓の腎盂腔内に確実に位置付けられているか否かは、腎盂腔内に造影剤が注入された腎臓をＸ線撮影してその撮影により取得した画像中に写し出された先端部１１ａのマーカー部２７と腎盂腔の外形との相対的な位置関係から確認することができる。
【００３８】
次に、腎臓カテーテル本体１１の後端部１１ｃから外部に食み出している２本の縫合糸５５のうち何れか一方の縫合糸５５のみを手で引っ張り、腎臓カテーテル本体１１内から縫合糸５５を完全に抜き出す。
次に、一方の手で腎臓カテーテル本体１１の中間部１１ｂを把持した状態で他方の手で位置決め部材１５を把持して腎臓カテーテル本体１１に対して位置決め部材１５をカフ１３と共に腎臓の腎被膜の近傍まで相対移動させる。
【００３９】
次に、腎被膜の表面とカフ１３の側面とに医療用接着剤を塗布して腎被膜の表面とカフ１３とを接着する。なお、腎被膜は膀胱に比べて非常に柔らかく脆いので、上述した巾着縫合を行うことができないため、腎被膜とカフ１３とを縫合糸で仮止めする。而して、腎被膜の表面にカフ１３が固定されることで、該カフ１３に結着された位置決め部材１５の腎臓に対する相対移動は阻止される。
次に、腹膜の外側に延出された腎臓カテーテル本体１１の後端部１１ｃと膀胱カテーテル本体１９の後端部１９ｃとにマウント９をそれぞれ挿入したのち、中継アダプタ７の一方のコネクタ４１の外周部に腎臓カテーテル本体１１の後端部１１ｃの内周部を嵌合して腎臓カテーテル３を中継アダプタ７に接続すると共に、中継アダプタ７の他方のコネクタ４１の外周部に膀胱カテーテル本体１９の後端部１９ｃの内周部を嵌合して膀胱カテーテル５も中継アダプタ７に接続する。
【００４０】
次に、腎臓カテーテル本体１１と膀胱カテーテル本体１９とに挿入された各マウント９を中継アダプタ７に向かって両カテーテル本体１１，１９に沿ってそれぞれ移動させ、両カテーテル本体１１，１９の各後端部１１ｃ，１９ｃと中継アダプタ７の各コネクタ４１との各接続部をそれぞれマウント９により被覆して緊締する。
次に、腎臓カテーテル３と膀胱カテーテル５とが接続された中継アダプタ７を腹膜の外表面に縫合糸で縫合する。このとき、中継アダプタ７の第二アダプタ片３７ｂの平坦な外側面を腹膜の外表面に当接させた状態で第二アダプタ片３７ｂの４個の貫通孔４３…に縫合糸を挿通しながら縫合することで中継アダプタ７が腹膜の外表面に安定的に固定される。また、中継アダプタ７は、最初に腹部の中央を切開した部分以外の部位に位置する腹壁の下方に位置付けられ、該腹壁に対向する中継アダプタ７の封止部材３９の先端により該腹壁が押圧されることでその部位の腹部の皮膚が若干隆起する。この腹部の隆起により、中継アダプタ７の封止部材３９の腹部に対する位置を目視により容易に特定することができる。また、押圧具１６は、押圧具本体４７の一対の幅広面５１，５１のうち何れか一方の幅広面５１が腹壁の内面に当接するように位置付けられ、その部位の腹部の皮膚が若干隆起する。この腹部の隆起により、押圧具１６の腹部に対する位置を目視により容易に特定することができる。
【００４１】
最後に、閉塞または尿管障害を起こした尿管の長手方向中途部の外周部を縫合糸で緊締して尿管内の尿路を閉塞したのち、メスにより切開した腹部の閉腹手術を行い、尿管バイパス装置１を腹部に留置する作業を終了する。
なお、上述した作業手順の順番については、上述した順番に限らず、本考案の目的から逸脱しない範囲で適宜変更してもよい。
【００４２】
また、上述した作業では、腎臓カテーテル３の腎臓カテーテル本体１１を腎臓の腎盂腔内に挿入する際に、シース５９やガイドワイヤ６１を使用する方法を採用したが、これに替えて、膀胱カテーテル５の膀胱カテーテル本体１９を膀胱内に挿入する方法と同様の方法を採用してもよい。すなわち、カニューラ５７ａ内にトロッカー５７ｂが挿入された穿刺針５７を腎臓カテーテル本体１１内に挿入し、腎臓カテーテル本体１１およびカニューラ５７ａから突出したトロッカー５７ｂの先端により腎臓を穿刺して形成した刺入口を介して腎臓カテーテル本体１１の先端部１１ａを腎盂腔内に挿入するようにしてもよい。
【００４３】
＜膀胱カテーテル５を洗浄する作業手順＞
次に、尿管バイパス装置１が腹部に留置され一定の期間が経過して、膀胱カテーテル５の膀胱カテーテル本体１９内が尿路結石等により目詰まりしたときに、該膀胱カテーテル本体１９内を洗浄する作業手順の一例について説明する。
まず、生理食塩水等の洗浄液が充填された注射器の注射針により腹部の皮膚および腹壁を貫通して中継アダプタ７の封止部材３９に該注射針を突き刺す。注射器は、本考案でいう「外部機器」を構成する。
【００４４】
次に、押圧具１６により腹部の皮膚が若干隆起した部位（皮膚の表面）を片手の指で摘むことで押圧具本体４７の一対の押圧面５３，５３を経皮的に指で摘んで押圧具本体４７を圧縮変形させる。これにより、押圧具１６が装着された腎臓カテーテル本体１１の長手方向中途部の外周部に押圧具１６を介して押圧力が付与され、腎臓カテーテル本体１１が拉げて該腎臓カテーテル本体１１内の流路が閉塞される。この状態で、中継アダプタ７の空洞４５を介して膀胱カテーテル本体１９内に注射器により洗浄液を注入する。これにより、尿の流通を阻害していた尿路結石等の障害物が除去され膀胱カテーテル本体１９内の流通が良好になる。
なお、注射器の注射針が突き刺されることでできる封止部材３９の小さい孔は、注射器の注射針が抜き取られれば封止部材３９自体の弾性力により瞬時に復元して閉塞され液密にシールされる。
【００４５】
上述したような本考案の実施の形態に係る尿管バイパス装置１によれば、洗浄液を注入する際に、腎臓カテーテル本体１１内の流路を予め閉塞することができる。すなわち、押圧具本体４７の一対の押圧面５３，５３を経皮的に指で摘んで押圧具本体４７を圧縮変形させることで、押圧具１６を介して腎臓カテーテル本体１１に押圧力が確実に付与され、腎臓カテーテル本体１１が拉げて該腎臓カテーテル本体１１内の流路を確実に閉塞することができる。
【００４６】
この結果、腎臓カテーテル本体１１内に洗浄液を無用に流入させずに済むだけでなく、注射器により供給する洗浄液の全てが膀胱カテーテル本体１９内に流入するため、洗浄液を勢い良く流入させることができる。この結果、膀胱カテーテル本体１９内に付着している尿路結石等の障害物が除去され易くなり膀胱カテーテル本体１９内を効果的に洗浄することができる。
また、洗浄液に替えて薬剤を注入すれば、膀胱カテーテル本体１９を介して膀胱内のみに薬剤を供給し、腎臓カテーテル本体１１内に薬剤を無用に流入させずに済む。また、腎臓カテーテル本体１１内の流路を閉塞した状態で中継アダプタ７の空洞４５を介して注射器により尿を吸引して採取すれば、膀胱カテーテル５を介して膀胱内のみの尿を採取し検査することもできる。
【００４７】
また、押圧具本体４７の一対の押圧面５３，５３を経皮的に指で摘んで押圧力を付与することで腎臓カテーテル本体１１が拉げて腎臓カテーテル本体１１内の流路が閉塞される一方、該押圧力が解除されることで腎臓カテーテル本体１１内の流路が開放されるように構成されている。このため、腎臓カテーテル本体１１内の流路を機構的な開閉弁により開閉する構成と比べて、開閉のための構造を単純化することができる上、流路が開放されているときの腎臓カテーテル本体１１内の流路には流通を阻害する虞のある開閉弁等の突出部が存在しないので流路が目詰まりし難い。
【００４８】
また、腎臓カテーテル本体１１を押圧具本体４７の貫通孔４９に挿入することで押圧具１６が腎臓カテーテル本体１１に装着されるので、腎臓カテーテル本体１１に押圧具１６を容易に装着することができる。また、押圧具本体４７の一対の押圧面５３，５３は、押圧具本体４７の貫通孔４９を両側から挟むように貫通孔４９の両側にそれぞれ位置付けられているので、一対の押圧面５３，５３を経皮的に指で摘んで押圧力を付与して押圧具本体４７を圧縮変形させることで、押圧具１６を介して腎臓カテーテル本体１１に押圧力を確実に付与することができる。この結果、腎臓カテーテル本体１１を指で容易に拉げることができ、延いては、該腎臓カテーテル本体１１内の流路を確実に閉塞することができる。
【００４９】
上述した実施の形態は、本考案を説明するための一例であり、本考案は、前記の実施の形態に限定されるものではなく、実用新案登録請求の範囲と明細書との全体から読み取れる考案の要旨または思想に反しない範囲で適宜変更可能であり、そのような変更後の尿管バイパス装置もまた、本考案の技術的範囲に含まれるものである。
【００５０】
例えば、上述した実施の形態に係る尿管バイパス装置１では、腎臓カテーテル本体１１に押圧具１６を装着する例を示したが、これに替えて、膀胱カテーテル本体１９に押圧具１６を装着することもできるし、腎臓カテーテル本体１１および膀胱カテーテル本体１９の双方に押圧具１６を装着することもできる。図７の（ａ）図に示すように、膀胱カテーテル本体１９に押圧具１６を装着した場合は、該押圧具１６により膀胱カテーテル本体１９内の流路を閉塞することで、腎臓カテーテル本体１１内のみに洗浄液や薬液を供給したり、腎臓カテーテル３を介して腎臓内の尿を採取し検査することもできる。
【００５１】
一方、図７の（ｂ）図に示すように、腎臓カテーテル本体１１および膀胱カテーテル本体１９の双方に押圧具１６をそれぞれ装着した場合は、各押圧具１６のうち何れか一方の押圧具１６を択一的に選択して、閉塞したいカテーテル本体の流路を任意に閉塞することができる。このため、腎臓カテーテル３または膀胱カテーテル５のうち何れか一方の希望するカテーテルを択一的に選択して洗浄液や薬液を供給したり尿を採取し検査することができる。
【００５２】
また、上述した実施の形態に係る尿管バイパス装置１は、一対の尿管のうち何れか一方の尿管のみが泌尿器系疾患等により閉塞または尿管障害を起こした場合に使用することができるものである。もし、一対の尿管の双方が泌尿器系疾患等により閉塞または尿管障害を起こした場合は、それぞれの腎臓と膀胱とを２個の尿管バイパス装置１，１を介してそれぞれ個別に接続すれば一対の尿路を共に確保することができるが、これに替えて、図８の（ａ）図に示す尿管バイパス装置１'を使用して一対の尿路を共に確保するようにしてもよい。この尿管バイパス装置１'は、一対の腎臓カテーテル３，３と１つの膀胱カテーテル５とが１つの中継アダプタ７'に接続されている。
【００５３】
図８の（ｂ）図に示すように、中継アダプタ７'の一方側には膀胱カテーテル５が接続される１つのコネクタ４１が設けられ、中継アダプタ７'の他方側には一対の腎臓カテーテル３，３が接続される一対のコネクタ４１，４１が並設されている。なお、図８の（ａ）図では、各腎臓カテーテル３の腎臓カテーテル本体１１と膀胱カテーテル５の膀胱カテーテル本体１９とにそれぞれ押圧具１６が装着された状態を図示しているが、３つの押圧具１６のうち何れか１つまたは何れか２つの押圧具１６を状況に応じて省略することもできる。
【００５４】
次に、上述した実施の形態の変形例として３つの例を図９ないし図１４を参照して以下に説明する。なお、これらの変形例の説明で参照する図において、上述した実施の形態で説明したものと同一または同等の部材および部位等については、同一の符号を付し詳細な説明は省略し、前記実施の形態とは異なる点を主に詳細に説明するものとする。これらの変形例においても、前記実施の形態で説明したものと同一または同等の構成については、同様の作用・効果を奏することができるのは言うまでもない。
【００５５】
（第１の変形例）
上述した実施の形態では、押圧具１６が押圧具本体４７のみにより構成されている例を示したが、図９に示す第１の変形例の押圧具２６のように、押圧具本体４７の内部に一対の軸状部材６３，６３を埋設するように構成してもよい。一対の軸状部材６３，６３は、押圧具本体４７の一対の押圧面５３，５３のそれぞれと貫通孔４９との間で、かつ、貫通孔４９の近傍（詳細には、貫通孔４９の軸芯方向中央の近傍）にそれぞれ配置され、かつ、各軸状部材６３の軸芯がそれぞれ貫通孔４９の軸芯と直交するように位置付けられている。なお、直交せずに、各軸状部材６３の軸芯がそれぞれ貫通孔４９の軸芯と交差するようにしてもよい。
【００５６】
詳細には、押圧具本体４７の各幅広面５１と直交するように穿設された一対の貫通孔６５，６５内に各軸状部材６３をそれぞれ挿入することで、押圧具本体４７の内部に各軸状部材６３を埋設している。各貫通孔６５の内径は、各軸状部材６３の外径より若干小さな寸法に設定され、各貫通孔６５内に挿入された各軸状部材６３が、押圧具本体４７の弾性力により緊締されて各貫通孔６５から抜け出ないようにしている。なお、各軸状部材６３と各貫通孔６５との間に接着剤を塗布して各軸状部材６３が各貫通孔６５から抜け出ないようにしてもよい。各軸状部材６３の長さは、各幅広面５１と直交する方向の押圧具本体４７の厚さＴ（図９の（ｂ）図参照）と略同一に設定され、押圧具本体４７の一対の幅広面５１，５１から各軸状部材６３の両端が突出しないように設定されている。
【００５７】
各軸状部材６３は、それらの横断面の形状が全長に亘って一定の大きさを有する円形状に形成され、各軸状部材６３の軸芯は、互いに平行に延びると共に貫通孔４９の軸芯と直交するように配置されている。また、各軸状部材６３の軸芯は、各押圧面５３とも平行になるように配置されている。各軸状部材６３は、押圧具本体４７より剛性が高い部材からなる。各軸状部材６３の材質としては、例えば、ポリプロピレン，ナイロンもしくはシリコン樹脂等の生体適合性のある合成樹脂、または、ステンレスもしくはチタン等の金属を挙げることができる。押圧具本体４７の内部に一対の軸状部材６３，６３を埋設したことで、各軸状部材６３の軸芯に沿う方向（押圧具本体４７の幅広面５１と直交する方向）に意図しない押圧力が作用して押圧具本体４７が圧縮変形しようとしても、各軸状部材６３の間に位置する腎臓カテーテル本体１１または膀胱カテーテル本体１９は、各軸状部材６３により保護されるので前記押圧力が作用して拉げる虞はない。
【００５８】
上述した第１の変形例による押圧具２６を備えた尿管バイパス装置１によれば、押圧具本体４７の一対の押圧面５３，５３を経皮的に指で摘んで押圧具本体４７を圧縮変形させることで、一対の軸状部材６３，６３を介して腎臓カテーテル本体１１に押圧力がピンポイントで付与される。この結果、過度に大きな押圧力を付与しなくも腎臓カテーテル本体１１が拉げて該腎臓カテーテル本体１１内の流路を閉塞することができる。
【００５９】
（第２の変形例）
押圧具１６が装着された前記実施の形態の尿管バイパス装置１および第１の変形例の押圧具２６が装着された尿管バイパス装置１では、押圧具１６や押圧具２６とマウント９とが、互いに分離した別個の部材で構成されていたが、図１０に示す第２の変形例の押圧具１６'や押圧具２６'のように、押圧具１６'や押圧具２６'の押圧具本体４７とマウント９とを一体的に構成するようにしてもよい。この場合のマウント９は、押圧具本体４７と同一の材質で構成する。一体的に構成する方法としては、例えば、成形型に樹脂材料を注入して押圧具本体４７とマウント９とを一体成形により形成するか、または、押圧具本体４７とマウント９とを接着剤により結着することで一体的に構成する方法を挙げることができる。一体的に構成されて、押圧具本体４７の貫通孔４９の軸芯とマウント９の軸芯とが同軸に位置付けられる。
【００６０】
このような第２の変形例による押圧具１６'または押圧具２６'を備えた尿管バイパス装置１によれば、押圧具１６'または押圧具２６'を腎臓カテーテル本体１１や膀胱カテーテル本体１９の外周部に装着するだけで押圧具本体４７とマウント９とを同時に装着することができる。このため、腎臓カテーテル本体１１や膀胱カテーテル本体１９の外周部に押圧具１６，２６とマウント９とを個別に装着する場合と比べて装着の作業時間を短縮することができるだけでなく部品点数を削減することもできる。
【００６１】
（第３の変形例）
上述した実施の形態および第１，第２の変形例では、各押圧具１６，２６，１６'，２６'がそのまま尿管バイパス装置１に装着されて動物や人間の腹部に留置される例を示したが、第３の変形例のように、図１１に示す筐体６７内に押圧具１６が収納された状態（図１２参照）で、尿管バイパス装置１に装着されて動物や人間の腹部に留置されるようにしてもよい。
筐体６７は、押圧具本体４７より剛性が高い部材により構成されている。筐体６７の材質としては、例えば、ポリプロピレンまたはナイロン等の生体適合性のある合成樹脂を挙げることができる。
【００６２】
筐体６７は、その内部の形状が、各押圧具１６の押圧具本体４７の外形と略同一の形状を有し、押圧具本体４７は、若干の余裕を持って筐体６７内に収納されている。筐体６７内に収納された押圧具本体４７の貫通孔４９の両端とそれぞれ対向する各側面には、該貫通孔４９の両端とそれぞれ連通する一対の連通孔６９，６９が穿設されている。各連通孔６９の内径は、押圧具本体４７の貫通孔４９の内径より若干大きな寸法に形成されている。また、筐体６７は、該筐体６７内に収納された押圧具本体４７の各幅広面５１および各押圧面５３とそれぞれ対向する一対の幅広面７１，７１および一対の幅狭面７３，７３を備えている。筐体６７は、各幅広面７１と直交する方向から見て、各幅狭面７３と連なる各幅広面７１の両側部がそれぞれ円弧状に切り欠かれたように形成されている。これによって、各幅広面７１の両側部と各幅狭面７３とに亘って一対の開口部７５，７５が形成され、筐体６７内に収納された押圧具本体４７の各押圧面５３と各幅広面５１の一部とが各開口部７５からそれぞれ露出している。
【００６３】
筐体６７は、その中に押圧具１６が収納される前は２つの筐体片に分割されており、これら２つの筐体片で押圧具１６が囲繞された状態で２つの筐体片の接合縁部が結着されることで押圧具１６が筐体６７内に収納されている。２つの筐体片の接合縁部を結着する方法としては、結着する部位を加熱して溶着する方法や接着剤により結着する方法が挙げられる。２つの筐体片に分割されていたときの筐体６７の分割面は、一対の幅広面７１，７１の何れか一方の幅広面７１と、該幅広面７１以外の部分との境界部分に設定するか、または、一対の連通孔６９，６９の中心を通る仮想平面上に設定してもよい。この場合の仮想平面は、各幅広面７１または各幅狭面７３の何れか一方の面と略平行な仮想平面に設定してもよい。
【００６４】
上述した第３の変形例の筐体６７内に収納された押圧具１６を備えた尿管バイパス装置１によれば、剛性が高い筐体６７により押圧具１６が保護されている。このため、筐体６７内に収納された押圧具１６が腎臓カテーテル本体１１または膀胱カテーテル本体１９に装着された尿管バイパス装置１が腹部に留置されているとき、筐体６７が位置する腹部の部位に意図しない押圧力が作用して該押圧力が筐体６７に幅広面７１に直交する方向に付与されたとしても、該押圧力が押圧具１６に作用して腎臓カテーテル本体１１内または膀胱カテーテル本体１９内の流路が閉塞される虞はない。
また、筐体６７の側面には、押圧具１６を収納したときに押圧具本体４７の一対の押圧面５３，５３を筐体６７の外部にそれぞれ露出させる一対の開口部７５，７５が形成されている。このため、一対の開口部７５，７５から露出した押圧具本体４７の一対の押圧面５３，５３を経皮的に指で摘んで、押圧具本体４７を圧縮変形させることで、押圧具１６を介して腎臓カテーテル本体１１または膀胱カテーテル本体１９に押圧力を確実に付与することができる。この結果、腎臓カテーテル本体１１または膀胱カテーテル本体１９を指で容易に拉げることができ、延いては、腎臓カテーテル本体１１内または膀胱カテーテル本体１９内の流路を確実に閉塞することができる。
【００６５】
なお、図１３の（ａ）図に示すように、押圧具１６に替えて第１の変形例による押圧具２６を筐体６７内に収納して尿管バイパス装置１に装着し、該尿管バイパス装置１を腹部に留置するようにしてもよい。
また、図１３の（ｂ）図および（ｃ）図に示すように、押圧具１６や押圧具２６に替えて第２の変形例の押圧具１６'や押圧具２６'を筐体６７内に収納して尿管バイパス装置１に装着し、該尿管バイパス装置１を腹部に留置するようにしてもよい。これらの場合は、筐体６７における２つの連通孔６９のうち一方の連通孔６９の内径は、押圧具１６'や押圧具２６'のマウント９の外径寸法より若干大きな寸法に形成され、該マウント９が前記一方の連通孔６９から突出するように構成されている。また、図１４は、筐体６７内に収納された押圧具２６'が腎臓カテーテル本体１１および膀胱カテーテル本体１９にそれぞれ装着された尿管バイパス装置１を示した図である。図１４に示すように、各カテーテル本体１１，１９の後端部１１ｃ，１９ｃは、中継アダプタ７の各コネクタ４１にそれぞれ嵌合接続され、各押圧具２６'のマウント９によりそれぞれ被覆されて緊締されている。
【００６６】
上述した実施の形態および第１ないし第３の変形例は、本考案を説明するための一例であり、本考案は、前記の実施の形態や第１ないし第３の変形例に限定されるものではなく、実用新案登録請求の範囲と明細書との全体から読み取れる考案の要旨または思想に反しない範囲で適宜変更可能であり、そのような変更後の尿管バイパス装置もまた、本考案の技術的範囲に含まれるものである。
例えば、前記実施の形態および第１ないし第３の変形例では、中継アダプタ７，７'にその封止部材３９を介して注射器を接続して洗浄液や薬剤を供給したり、尿を吸引して採取する例を示したが、これらの作業を、注射器以外の外部機器を接続して行うようにしてもよい。注射器以外の外部機器としては、電動加圧ポンプを備えた液体供給装置や電動吸引ポンプを備えた吸引装置を挙げることができる。これらの液体供給装置や吸引装置は、本考案でいう「外部機器」を構成する。
【符号の説明】
【００６７】
１    尿管バイパス装置
１'  尿管バイパス装置
３    腎臓カテーテル
５    膀胱カテーテル
７    中継アダプタ
７'  中継アダプタ
１１    腎臓カテーテル本体
１１ａ  先端部（腎臓カテーテル本体の先端部）
１１ｃ  後端部（腎臓カテーテル本体の後端部）
１６    押圧具
１６'  押圧具
１９    膀胱カテーテル本体
１９ａ  先端部（膀胱カテーテル本体の先端部）
１９ｃ  後端部（膀胱カテーテル本体の後端部）
２６    押圧具
２６'  押圧具
３９    封止部材（接続部）
４７    押圧具本体
４９    貫通孔
５３    押圧面
６３    軸状部材
６７    筐体
７５    開口部
【図１】
0003214346.tif 000003
【図２】
0003214346.tif 000004
【図３】
0003214346.tif 000005
【図４】
0003214346.tif 000006
【図５】
0003214346.tif 000007
【図６】
0003214346.tif 000008
【図７】
0003214346.tif 000009
【図８】
0003214346.tif 000010
【図９】
0003214346.tif 000011
【図１０】
0003214346.tif 000012
【図１１】
0003214346.tif 000013
【図１２】
0003214346.tif 000014
【図１３】
0003214346.tif 000015
【図１４】
0003214346.tif 000016